(57)【要約】  本発明は、タンパク質および／またはペプチドを含むタンパク質混合物中の種々の被分析タンパク質および／または被分析ペプチドを検出および／または増幅するための方法に関する。この方法は、以下の工程、すなわちａ）試料混合物を提供する工程、および、この混合物に含有されるタンパク質を必要に応じて規定のペプチドに断片化する工程、ｂ）種々の被分析タンパク質および／または被分析ペプチドのうち少なくとも１種類のペプチドエピトープに特異的な第１の結合分子を提供する工程であって、このペプチドエピトープに含まれるアミノ酸が５個以下、好ましくは２〜３個である工程、ｃ）第１の結合分子を試料混合物とともにインキュベートする工程、ならびにｄ）第１の結合分子に結合した種々の被分析タンパク質および／または被分析ペプチドを検出および／または増幅する工程、を含む。本発明はまた、種々の被分析ペプチドの末端ペプチドエピトープに特異的な結合分子に関し、この末端ペプチドエピトープは、遊離ＮＨ２基または遊離ＣＯＯＨ基、プロテアーゼ特異性によって規定される１個以上のアミノ酸、および各場合において３個以下のさらなる末端アミノ酸を含む。【特許請求の範囲】
【請求項１】
タンパク質および／またはペプチドを含む試料混合物中から種々の被分析タンパク質および／または被分析ペプチドを検出および／または増幅するための方法であって、
ａ）試料混合物を提供する工程および、該混合物中に含有されるタンパク質を必要に応じて規定のペプチドに断片化する工程、
ｂ）前記種々の被分析タンパク質および／または被分析ペプチドの少なくとも１種類のペプチドエピトープに特異的な第１の結合分子を提供する工程であって、該ペプチドエピトープに含まれるアミノ酸が５個以下、好ましくは２〜３個である工程、
ｃ）前記第１の結合分子を前記試料混合物とともにインキュベートする工程、ならびに
ｄ）前記第１の結合分子に結合された被分析タンパク質および／または被分析ペプチドを検出および／または増幅する工程、
を含む方法。
【請求項２】
前記工程ａ）において、変性被分析タンパク質および／または被分析ペプチドを含む試料混合物を提供することを特徴とする、請求項１に記載の方法。
【請求項３】
前記工程ａ）において、前記試料混合物中に存在するタンパク質および／またはペプチドを、少なくとも１種類の特異的プロテアーゼおよび／または化学的断片化によって切断し、規定のペプチドとすることを特徴とする、請求項１または２に記載の方法。
【請求項４】
前記工程ｂ）において、前記ペプチドエピトープの１つ以上の位置でアミノ酸群特異的認識を示す第１の結合分子を提供することを特徴とする、請求項１〜３のいずれかに記載の方法。
【請求項５】
前記工程ｂ）において、前記被分析タンパク質および／または被分析ペプチドの２つの末端ペプチドエピトープの一方に特異的な第１の結合分子を提供し、該末端ペプチドエピトープが、遊離ＮＨ２基または遊離ＣＯＯＨ基および各場合において５個以下のアミノ酸を含むことを特徴とする、請求項２〜４のいずれかに記載の方法。
【請求項６】
前記第１の結合分子が支持体上に固定化されていることを特徴とする、請求項１〜５のいずれかに記載の方法。
【請求項７】
前記支持体が、マイクロアレイ、アフィニティカラム用支持体材料、クロマトグラフィ材料、マイクロチャネル構造物、キャピラリー表面、センサー表面、高分子多孔質海綿状構造物、ビーズを含む群から選択されることを特徴とする、請求項６に記載の方法。
【請求項８】
前記工程ｄ）における検出および／または増幅を、質量分析、イムノアッセイ、クロマトグラフィ、電気泳動、電気化学的手法、表面プラズモン共鳴、水晶発振器を含む群から選択される方法によって行うことを特徴とする、請求項１〜７のいずれかに記載の方法。
【請求項９】
前記工程ｄ）における検出および／または増幅を、前記第１の結合分子に結合された被分析タンパク質および／または被分析ペプチドを特異的に認識する第２の結合分子の使用によって行うことを特徴とする、請求項１〜８のいずれかに記載の方法。
【請求項１０】
前記工程ｄ）における検出および／または増幅を、ＦＲＥＴ、近接ライゲーションアッセイなどの方法による前記被分析タンパク質および／または被分析ペプチドの異なるエピトープに対する２つの異なる結合分子の同時結合によって行うことを特徴とする、請求項９に記載の方法。
【請求項１１】
前記第１および第２の結合分子を溶液状態で試料とともにインキュベートすることを特徴とする、請求項９または１０に記載の方法。
【請求項１２】
前記第２の結合分子が、それぞれの他方の末端ペプチドエピトープに特異的であることを特徴とする、請求項５および９〜１１のいずれかに記載の方法。
【請求項１３】
前記それぞれの他方の末端ペプチドエピトープが、遊離ＮＨ２基または遊離ＣＯＯＨ基および各場合において５個以下のアミノ酸を含むことを特徴とする、請求項１２に記載の方法。
【請求項１４】
前記工程ｄ）において、前記ペプチドエピトープの１つ以上の位置でアミノ酸群特異的認識を示す第２の結合分子を提供することを特徴とする、請求項９〜１３のいずれかに記載の方法。
【請求項１５】
前記工程ｂ）において使用される前記第１の結合分子が前記被分析ペプチドの２つの末端ペプチドエピトープの一方に特異的であり、該末端ペプチドエピトープが遊離ＮＨ２基または遊離ＣＯＯＨ基および３〜５個のアミノ酸を含むこと、ならびに前記第２の結合分子が前記被分析ペプチドの他方の末端ペプチドエピトープに特異的であり、該他方の末端ペプチドエピトープが遊離ＮＨ２基または遊離ＣＯＯＨ基および３〜５個のアミノ酸を含むことを特徴とする、請求項１２〜１４のいずれかに記載の方法。
【請求項１６】
前記第２の結合分子がペプチド内部エピトープに特異的であることを特徴とする、請求項９に記載の方法。
【請求項１７】
抗体、抗体断片、アプタマー、組換え結合分子が第１および／または第２の結合分子として使用されることを特徴とする、請求項１〜１６のいずれかに記載の方法。
【請求項１８】
種々のペプチド被分析物の末端ペプチドエピトープに特異的な結合分子であって、該末端ペプチドエピトープが、遊離ＮＨ２基または遊離ＣＯＯＨ基、プロテアーゼ特異性によって規定される１個以上のアミノ酸、および各場合において３個以下のさらなる末端アミノ酸を含む、結合分子。
【請求項１９】
抗体、抗体断片、アプタマー、組換え結合分子を含む群から選択されることを特徴とする、請求項１８に記載の結合分子。
【請求項２０】
請求項１〜１７のいずれかに記載の方法における請求項１８または１９に記載の結合分子の使用。
【請求項２１】
支持体に結合され、５個以下のアミノ酸を有するペプチドエピトープが免疫付与法、選択法および親和性成熟法に使用される、請求項１８または１９に記載の結合分子を調製する方法。
【請求項２２】
規定の末端基を有し、かつ担体タンパク質にカップリングされたペプチドエピトープからなる免疫付与生成物が使用される、請求項１９に記載の結合分子として使用される抗体を調製する方法。
【請求項２３】
前記工程ａ）における試料混合物を前記第１の結合分子とともにインキュベートする前に、ペプチド内部エピトープに特異的な第３の結合分子を該試料混合物とともにインキュベートすることを特徴とする、請求項１〜８のいずれかに記載の方法。
【発明の詳細な説明】
【技術分野】
【０００１】
本発明は、タンパク質および／またはペプチドを含むタンパク質混合物中の種々の被分析タンパク質および／または被分析ペプチドを検出および／または増幅するための方法に関する。
【０００２】
本発明はさらに、種々の被分析ペプチドの末端に対して特異的な結合分子に関し、タンパク質混合物中の種々の被分析タンパク質および／または被分析ペプチドを検出および／または増幅するための方法におけるその使用に関する。
【背景技術】
【０００３】
このような方法および結合分子は、先行技術において広く知られている。
【０００４】
既知の方法は、たとえば、複合試料中のタンパク質の解析および検出、特に、プロテオーム解析のための一般的方法の分野において使用されている。
【０００５】
「プロテオーム」とは、細胞、組織または生物におけるタンパク質の定量的総体、すなわち、あらゆるアイソフォーム、多型および翻訳後修飾において発現しているすべてのタンパク質、ならびにそれぞれの濃度に関する情報、特に、ある時点およびある外部条件下におけるそれらの情報を意味している。
【０００６】
したがって、細胞、組織または生物の状態は、特に、そのタンパク質の定量的プロフィールによって示される。たとえば、ある疾患において、ある種のタンパク質の発現は減少し、他のタンパク質の発現は増加する。また、ある種のタンパク質は該疾患時にのみ発現し、またある種の翻訳後タンパク質修飾は改変される。したがって、タンパク質プロフィールは、細胞、組織、器官または生物それぞれの現状を示す直接的指標として好適であり、したがって、疾患または健康の指標として好適である。
【０００７】
さらに、タンパク質プロフィールの変化を通じて、薬剤の効果を追跡することおよびその副作用を推定することも可能である。
【０００８】
この目的のために同様にしばしば使用されるｍＲＮＡプロフィールに対し、タンパク質プロフィールを測定することの利点は、変化するタンパク質プロフィールにより、関与する機構についての直接的な判断が可能なことであるが、これは細胞プロセスが通常タンパク質の直接関与に伴って進行し、それによって該細胞の機能が働くことによる。
【０００９】
タンパク質プロフィールの定性的かつ定量的検出のためには、タンパク質を検出する方法において、ほとんどのタンパク質が、たとえ複合試料中にあっても検出されることが必要であり、タンパク質の量を、できる限り大きなダイナミックレンジで定量的に検出することが可能でなければならない。
【００１０】
これに伴う１つの問題点は、ほとんどの天然試料において、種々のタンパク質の濃度が９〜１２倍も異なり得ることである。また、ＤＮＡやＲＮＡとは対照的に、タンパク質は増幅することができない。
【００１１】
さらに、すべてのタンパク質、すなわち、強酸性、強塩基性、超大型、超小型、疎水性、および親水性のタンパク質をすべて検出し得る方法は、今のところ存在しない。
【００１２】
現在、複合プロテオームの検出には、原理的には以下の２つの方法が使用されている。
−  二次元電気泳動を用いて種々のタンパク質を電気泳動により二次元に分離した後、分離したタンパク質について規定のタンパク質分解を行い、それぞれのタンパク種をペプチド質量による質量分析によって同定する、方法。
−  あるプロテオームにおけるすべてのタンパク質に対して規定のタンパク質分解を行い、これから一次元または多次元クロマトグラフ分離によりペプチドを分離し、タンデム質量分析により分離したペプチドを同定した後、タンパク質またはゲノムデータベースを介したバイオインフォマティクスにより、ペプチド断片をプロテオームの元のタンパク質に割り当てる、方法。
【００１３】
これらの方法は、対応する抗体への特異的結合によって定性的かつ定量的にタンパク質を検出する抗体ベースの方法により補足される。例として、ウエスタンブロット、ＥＬＩＳＡまたは抗体マイクロアレイが挙げられる。
【００１４】
２次元ゲル電気泳動（２Ｄ‐ＰＡＧＥ）では、１次元目では等電点、２次元目では分子量によってタンパク質が分離される。これにより、１００００種類もの複合タンパク質混合物を非常に高い分離効率で解析することが可能となる。この方法の欠点は、調査対象の試料からタンパク質の一部しか検出されないことであり、非常に大型のタンパク質、非常に小型のタンパク質、強塩基性または強酸性のタンパク種は、標準的な条件下では検出されない。
【００１５】
また、この方法には時間がかかり、再現が困難である。タンパク質によって染色効率が異なること、および検出ダイナミックレンジが小さいことから、定量的解析は困難であり、多大な労力と試料消費なしには不可能である。さらに、試料に対して相対的に少量のタンパク質の解析に限られる場合も多く、したがって、試料中に少量しか存在しないタンパク質の検出は不可能か、検出できたとしても不明瞭なものとなる。
【００１６】
クロマトグラフィによるタンパク質分離は、通常、分子サイズ（サイズ排除クロマトグラフィ）、分子の電荷（イオン交換クロマトグラフィ）または疎水性（逆相クロマトグラフィ、疎水性相互作用クロマトグラフィ）によって行われる。クロマトグラフ法の分離効率は、タンパク質の２Ｄ−ＰＡＧＥの分離効率よりも低い。このため、プロテオーム解析では、しばしば非常に手の込んだ多次元分離が行われる。現在、複合タンパク質混合物中の個々の被分析タンパク質を同定できるのは、抗体ベースの検出方法のみである。しかしながら、ＥＬＩＳＡ等の従来の方法は、１つの試料から多くの被分析物を分析するには不適当である。抗体アレイベースの方法は、現時点では、特に、高度に選択的で好適な抗体の数が少ないことにより、複合混合物からの多くの異なるタンパク質の並列検出に関しては限界がある。
【００１７】
現在のところ、利用可能なプロテオーム解析方法はいずれも、複合試料からの被分析タンパク質の並列、迅速、再現可能かつ高感度な検出に関して限界があるため、タンパク質試料を再現可能な方法で分別することは、プロテオーム解析にとって非常に重要な操作である。
【００１８】
プロテオーム解析のためのストラテジーに関しては、数多くが文献に公開され、知られている。
【００１９】
中でも、たとえば、Ｇｒａｈａｍらによる“Ｂｒｏａｄ−ｂａｓｅｄ  ｐｒｏｔｅｏｍｉｃ  ｓｔｒａｔｅｇｉｅｓ：ａ  ｐｒａｃｔｉｃａｌ  ｇｕｉｄｅ  ｔｏ  ｐｒｏｔｅｏｍｉｃｓ  ａｎｄ  ｆｕｎｃｔｉｏｎａｌ  ｓｃｒｅｅｎｉｎｇ”，Ｊ．Ｐｈｙｓｉｏｌ．５６３（１），（２００５），ｐｐ．１−９には、総説においてプロテオーム解析の手順が記載されており、定性対定量アプローチのための種々のストラテジーが開発されている。
【００２０】
Ｃｏｎｒａｄｓら、“Ｃａｎｃｅｒ  Ｐｒｏｔｅｏｍｉｃｓ：ｍａｎｙ  ｔｅｃｈｎｏｌｏｇｉｅｓ，ｏｎｅ  ｇｏａｌ”，Ｅｘｐｅｒｔ  Ｒｅｖ．Ｐｒｏｔｅｏｍｉｃｓ  ２（５），（２００５），ｐｐ．６９３−７０３では、プロテオーム解析法によって得られた莫大な量のデータから、癌またはその他の疾患に特異的なバイオマーカーを同定することの重要性が強調されている。
【００２１】
ＷＯ２００４／０３１７３０には、試料中の標的タンパク質の量を測定するためのフロースルー法が開示されている。抗体のような特異的結合試薬を使用して、複合タンパク質試料のタンパク質分解による消化物中の特異的モニターペプチドと、モニターペプチドと同じ化学構造を有するが標識されている内部標準ペプチドとを捕捉し、増幅する。質量分析計内への溶出時に、両方のペプチドが定量される。
【００２２】
前記特異的結合剤または抗体は、たとえば、タンパク質分解酵素によるヒト血清の特異的切断により生じたペプチド混合物中の特異ペプチドを捕捉する能力を有するように、約５〜２０アミノ酸残基から成る特異的ペプチド配列に逆に結合するものであるのがよい。
【００２３】
モニターペプチドは、標的に対して高度に特異的である必要がある。すなわち、標的生物のいかなる他のタンパク質とも相同性を共有してはならない。
【００２４】
これにより、たとえば、最初にＮ末端抗体を、続く第２の増幅工程ではＣ末端抗体を使用し、ある特定のペプチドを増幅することが可能となる。
【００２５】
文献に記載され、また上述したプロテオーム解析の態様、ならびにこれに関する新規な診断方法、有効成分および治療法の可能性に照らし、既知の解析方法の欠点を回避できる新規な技術はきわめて重要である。
【発明の開示】
【発明が解決しようとする課題】
【００２６】
したがって、本発明の目的は、プロテオームまたはサブプロテオームの定性的かつ／または定量的解析を補助し得る新規な方法またはツールを提供することである。
【課題を解決するための手段】
【００２７】
本発明によれば、この目的は、冒頭で記載した方法において、
ａ）  試料混合物を提供する工程、および、該混合物に含有されるタンパク質を必要に応じて規定のペプチドに断片化する工程、
ｂ）  前記種々の被分析タンパク質および／または被分析ペプチドのうち少なくとも１種類のペプチドエピトープに特異的な第１の結合分子を提供する工程であって、このペプチドエピトープに含まれるアミノ酸が５個以下、好ましくは２〜３個である工程、
ｃ）  前記第１の結合分子を前記試料混合物とともにインキュベートする工程、ならびに
ｄ）  前記第１の結合分子に結合した種々の被分析タンパク質および／または被分析ペプチドを検出および／または増幅する工程、
によって達成される。
【００２８】
本発明の基礎をなす目的は、このようにして完全に達成される。
【発明を実施するための最良の形態】
【００２９】
本発明は、本発明に従って使用される結合分子が、その認識配列が規定のアミノ酸をただ５つ、好ましくは４つ、３つまたは２つの位置にしか有しないにもかかわらず、これによって多数の被分析タンパク質または被分析ペプチドに、すなわちある程度非選択的に結合し、種々の被分析タンパク質および／または被分析ペプチドが複合試料混合物中にある場合にも、それらの検出および／または増幅に利用できるという、本発明者らによる驚くべき発見に基づいている。
【００３０】
認識配列内の個々の位置は、さらに、部分的にしか規定されていないアミノ酸、すなわちあるアミノ酸群に属するアミノ酸、のみで占められていることもある。このような認識配列における規定のアミノ酸および部分規定のアミノ酸の分布の一例は、ＯＯＸＸＯ、ＯＯＸＸＸまたはＯＸＯＸＯである。ここで、Ｏは規定のアミノ酸を表し、Ｘはアミノ酸群、たとえば、疎水性、脂肪族または芳香族のアミノ酸群などを表す。
【００３１】
このように、本発明に従って使用される結合分子は、有するアミノ酸が５個以下であるエピトープを特異的に認識する。
【００３２】
「結合分子」は、本明細書において、ペプチド／タンパク質に結合し得るまたはペプチド／タンパク質が結合し得る任意の分子または任意の物質を意味する。
【００３３】
本発明において、この場合、有するアミノ酸が５個以下であるペプチドエピトープを特異的に認識するものであれば、いかなる結合分子も使用可能であることを理解されたい。
【００３４】
このような結合分子により、複合タンパク質混合物から、きわめて特殊なタンパク質またはペプチドだけでなく、含むアミノ酸が５個以下であるこのエピトープを有する多数の異なるタンパク質またはペプチドもまた捕捉することが可能となる。ここで、サブプロテオームが増幅されている。
【００３５】
したがって、この新規な方法により、ただ１つの結合分子を用いてタンパク質またはペプチドの複合混合物中に存在する多くの異なるタンパク質および／またはペプチドを特異的に結合させること、ならびに、必要に応じて混合物から非結合成分を除去した後、さらにその後の手順においてこれらの結合タンパク質またはペプチドを解析することが可能になる。
【００３６】
本発明において、「被分析タンパク質／ペプチド」は、複合試料混合物／タンパク質混合物中に含まれ、工程ｃ）で結合分子に結合するタンパク質／ペプチドを意味する。
【００３７】
本発明による方法に使用される結合分子は、有するアミノ酸が５個以下のペプチドエピトープを認識するため、多くのペプチド／タンパク質がこのエピトープを有する確率は高く、その結果、個々の場合において、多くのペプチド／タンパク質がある特定の結合分子に結合する状況になる。複数の異なる被分析タンパク質またはペプチドに結合する結合分子は、先行技術において、生物学的／生化学的研究用には不適切なものとして分類されている。
【００３８】
本発明において、あるプロテオームにおいて特定のエピトープを有するペプチド／タンパク質が多いということは、結合分子が特異的に認識するアミノ酸が該当エピトープ内に少なく、各位置において許容されるアミノ酸の種類が多いことを意味する。
【００３９】
これは、たとえば有するアミノ酸残基が３個だけであるエピトープに特異的な結合分子を使用すると、たとえば有するアミノ酸残基が５個であるエピトープを特異的に認識する結合分子の使用時よりもはるかに多くのペプチド／タンパク質に対して結合が起こることを意味する。
【００４０】
さらに、本発明において、結合される被分析タンパク質／ペプチドの量をさらに増加させる目的で、工程ｂ）で２種以上の異なる第１の結合分子を提供することも可能であることが理解されよう。このことから、あるプロテオームにおけるすべてのタンパク質／ペプチドが、当該技術分野の現在の技術水準に従って調製可能な限られた数の結合分子と結合するという驚くべき可能性が浮上する。２０種のタンパク質構成アミノ酸を使用すると、規定のアミノ酸３個に対して特異的に結合する結合分子の理論上の必要数は、２０３＝８０００種類である。これと比較して、規定のアミノ酸を５個有するエピトープを介した結合の場合、理論上可能なすべてのタンパク質エピトープに結合させるためには、２０５＝３２０万種類もの結合分子が必要となる。
【００４１】
好ましい一実施形態において、変性被分析タンパク質および／または変性被分析ペプチドを含む試料混合物が工程ａ）で使用される。
【００４２】
この実施形態は、変性タンパク質を使用することによって試料混合物中のタンパク質が変性型となり、少なくとも１種類の結合分子にとってアクセスがより容易になるため、該結合分子との結合が良好になるという利点を有する。
【００４３】
本発明の方法の別の一実施形態においては、試料混合物中に存在するタンパク質および／またはペプチドは、工程ａ）で少なくとも１種類の特異的プロテアーゼおよび／または化学的断片化により切断され、規定のペプチドとなる。
【００４４】
したがって、この方法では、最初にタンパク質および／またはペプチドを含む複合試料混合物／タンパク質混合物を提供し、この試料混合物は、任意の組織または体液（たとえば、組織ホモジネート、血清など）から得られる任意の試料／タンパク質混合物であってよい。このタンパク質混合物は、変性剤（たとえば、尿素または塩酸グアニジニウム）の添加、ならびに還元およびその後のアルキル化によって変性させ、好ましくは、プロテアーゼにとって利用可能な変性タンパク質鎖が存在するようにしてもよい。天然または変性の試料／タンパク質混合物を選択的切断プロテアーゼ（たとえば、トリプシンまたはエンドプロテイナーゼＬｙｓ  Ｃ）によって処理すると、試料中に存在するペプチド／タンパク質は切断され、プロテアーゼの特異性によって規定される小断片になる。また、当業者に既知の非常に多くの一連のエンドプロテアーゼまたはエキソプロテアーゼも存在し、特異的タンパク質分解に使用され得る。タンパク質試料の変性の選択により、タンパク質分解において切断されるペプチドの種類を制御すること、および解析試料の複雑度を調整することが可能である。たとえば、臭化シアンを用いて、さらなる化学的断片化を行うことができる（ＭｅｔのＣ側）。
【００４５】
１種類以上のプロテアーゼおよび／または化学的断片化による消化の結果、工程ａ）で提供するペプチド混合物が得られる。工程ｂ）で結合分子を提供した後、ペプチド混合物を該結合分子とともにインキュベートし、その間に、該結合分子はペプチドの適合するエピトープに結合するため、該結合分子と結合した対応する被分析ペプチドが検出／増幅される。
【００４６】
この方法、すなわち、工程ａ）において試料混合物が特異的タンパク質分解および／または化学的断片化を受けるようなペプチド混合物の使用もまた、特に、タンパク質分解により結合分子が個々の被分析ペプチドの末端を利用できるようになるという利点を有する。
【００４７】
結合分子はペプチド内エピトープに特異的であり得るが、好ましい一実施形態において使用される結合分子は、Ｃ末端またはＮ末端に直接結合するため、短い結合エピトープとの交差反応性をさらに顕著に低下させることが可能になる。同時に、被分析タンパク質がタンパク質分解を受けて断片化されることにより、検出可能な複数の被分析タンパク質が生成し、重複検出が可能になる。
【００４８】
さらにまた別の一実施形態では、工程ｂ）において、該ペプチドエピトープの１つ以上の位置でアミノ酸群特異的認識を示す第１結合分子を提供する。
【００４９】
したがって、この実施形態は、有するアミノ酸が５個以下のエピトープに特異的な結合分子であって、該アミノ酸の少なくとも１つが、単に群特異的に、すなわち、たとえば、該アミノ酸の疎水性脂肪族特性などによる該アミノ酸の正または負の電荷に基づいて認識される結合分子が提供されるという利点を有する。当該技術分野の技術水準において、アミノ酸を類似／同一特性を有する群に分類することは既知である。たとえば、アラニン、バリン、ロイシンおよびイソロイシンは脂肪族疎水性アミノ酸であり、トリプトファン、チロシンおよびフェニルアラニンは芳香族アミノ酸であり、アスパラギン酸およびグルタミン酸は酸性アミノ酸であり、リシン、ヒスチジンおよびアルギニンは塩基性アミノ酸である。したがって、このような群分類に従い、たとえば、適合するエピトープの第３位においてグリシンだけでなくアラニン、バリン、ロイシンおよびイソロイシンもまた認識し、したがって、全体として、ペプチドの少なくとも１つの位置に対して群特異的認識を示さない結合分子よりも多くのペプチドに結合する結合分子を作製および提供することが可能となる。本発明の方法のまた別の実施形態では、工程ｂ）において、被分析タンパク質および／または被分析ペプチドの２つの末端ペプチドエピトープの一方に特異的な第１の結合分子を提供し、ここで該末端ペプチドエピトープは、遊離ＮＨ２基または遊離ＣＯＯＨ基を有し、いずれの場合においても含むアミノ酸は５個以下である。
【００５０】
この実施形態の利点は、本発明に従って使用される結合分子とともに、それぞれの末端に特異的かつ安定に結合する有効なツールが提供されることである。これに寄与したのは、本発明者らによる発見、すなわち、安定した結合に必要なアミノ酸が５個に過ぎないこと、および、末端官能基の結合に対する影響が非常に強いため、末端エピトープがアミノ酸をほとんど有しない場合には、同じアミノ酸配列を有する内部エピトープに対して交差反応性がないことの発見である。ペプチドの末端への結合は、さらに、その後の工程において、単離／同定された被分析ペプチドの他方の末端ペプチドエピトープに結合し得るさらなる結合分子を使用する可能性をもたらし、その結果、さらなる結合分子の使用によってペプチドのさらなる選択が可能になる。
【００５１】
各々が５個以下のアミノ酸からなる２つの短い末端エピトープ（Ｃ末端およびＮ末端）に結合分子が複合結合することにより、驚くべきことに、たとえ結合分子自体があるプロテオームに含まれる比較的種々のペプチドと個々に結合しても、ペプチドを特異的に検出することが可能となる。したがって、記載の方法により、切断特異的エピトープによって特定のペプチドを明瞭に検出することが可能になる。
【００５２】
本発明の方法の一実施形態において、少なくとも第１の結合分子を支持体に固定化することが好ましい。これに関して、支持体は、マイクロアレイ、アフィニティカラム用支持体材料、クロマトグラフィ材料、マイクロチャネル構造物、キャピラリー表面、センサー表面、高分子多孔質海綿状構造物、ミクロスフェア（またはビーズ）を含む群から選択されることが特に好ましい。
【００５３】
この実施形態の利点は、結合分子を支持体に固定化することによって工程ｂ）における結合分子の操作および提供が容易になり、したがって、全体として、本発明の方法のための実用的なツールを提示できることである。これに関して、たとえば、結合分子の量ならびに支持体上での配置および整列（これらのパラメータは、各場合において使用する支持体材料に依存する）のいずれをも正確に定義付けた上で、結合分子を支持体上のアレイに適用することが可能である。好都合なことに、結合分子を介して支持体に結合された被分析ペプチドをさらに解析することが可能となる。
【００５４】
本発明の場合、ビーズ（または「ミクロスフェア」）の好適な例は、特に、コードビーズ（たとえば、蛍光コードもしくは着色コード）または磁気ビーズであり、具体的な特定用途にどのビーズが適するかは当業者には明白であろう。
【００５５】
さらに、本発明との関連において、個々のビーズに各場合で同じ結合分子を存在させてもよく、また、１つのビーズに異なる複数の結合分子を存在させることによって、異なる複数の被分析ペプチドが個々のビーズとの結合によって試料混合物から取り出されるようにしてもよい。
【００５６】
結合分子の支持体への固定化は、当該技術分野の技術水準において既知の方法（たとえば、Ｓｔｏｌｌらによる概説、ＦＢＳ  ２０００，Ｈｅｒｍａｎｓｏｎ，Ｇｒｅｇ．Ｔ．，Ｂｉｏｃｏｎｊｕｇａｔｅ  Ｔｅｃｈｎｉｑｕｅｓ，Ａｃａｄｅｍｉｃ  Ｐｒｅｓｓを参照のこと）によって行うことができる。
【００５７】
また、本発明の方法において、後に続く解析工程および工程ｄ）の検出は、質量分析、イムノアッセイ、クロマトグラフィ、電気泳動、電気化学的手法、表面プラズモン共鳴、水晶発振器を含む群から選択される方法によって行われることが好ましい。
【００５８】
これらの方法はすべて、当該技術分野の技術水準において十分に知られており、それぞれ固有の利点を有している。これに関して、検出方法の選択は、特に、どの程度正確に、どの、または何種類のタンパク質もしくは被分析ペプチドを、さらに特徴付け、単離、増幅または検出するか、ならびに工程ｂ）でどのような形態の結合分子を提供するか（すなわち、たとえば、支持体に結合させているか否か、支持体に結合させている場合は、支持体がどのような型か）に依存する。
【００５９】
したがって、たとえば、結合分子が親和性マトリックスに結合しており、被分析ペプチドが、該親和性マトリックスに結合した結合分子と結合する場合、同定方法として質量分析が好適である。結合した被分析ペプチドは、その後の工程において親和性マトリックスから溶出され、質量分析またはキャピラリーＨＰＬＣエレクトロスプレー質量分析による解析に供される。たとえば、当該技術分野の技術水準においては、親和性チップ（マイクロアレイ）が、その後のＭＡＬＤＩ質量分析（ＳＥＬＤＩ）による一般的なＭＳ解析に適している。ビーズは、イムノアッセイにおける使用が増加している。
【００６０】
本発明の方法によるまた別の一実施形態において、第１の結合分子に結合した被分析タンパク質および／または被分析ペプチドの検出および／または増幅は、第１の結合分子に結合された被分析タンパク質および／または被分析ペプチドを特異的に認識する第２の結合分子によって行われることが好ましい。
【００６１】
このような検出方法において、第２の結合分子が、たとえば標識され得ること、および第１の結合分子に結合した被分析タンパク質／ペプチドの検出が、同様に被分析タンパク質／ペプチドに結合する第２の結合分子の標識によって行われ得ることは好都合である。これに関して、標識は、たとえば、直接的であっても間接的であってもよい。すなわち、たとえば、蛍光もしくは放射性標識、または、さらなる物質／化学薬品を使用することによってのみ検出可能となる標識（たとえば、ビオチン−ストレプトアビジンなど）であってよい。
【００６２】
本発明の方法によるこの実施形態においてもまた、１つの特異性を有する結合分子だけでなく、逆に、異なる特異性を有する２種類以上の異なる第２の結合分子を使用することもまた可能であることが理解されよう。
【００６３】
この実施形態においては、一般的に、ある特定の被分析タンパク質もしくは被分析タンパク質ファミリーにおける内部エピトープに特異的であるか、または、ある特定の被分析タンパク質または被分析タンパク質ファミリーにおける他方の末端エピトープに特異的である第２の結合分子を使用することが可能である。その一方で、非特異的であって複数の被分析タンパク質に結合するという点で第１の結合分子と類似した結合分子を使用することもまた可能である。
【００６４】
さらに、ペプチド内部エピトープに特異的なこのような第２の結合分子を、最初は捕捉分子として使用し、その後普遍的検出因子として使用することが可能であり、少なくとも１つの第１の結合分子は、上述の仕様を有し、好ましくは標識されている。
【００６５】
これに関して、該ペプチドエピトープの１つ以上の位置でアミノ酸群特異的認識を示す第２の結合分子を工程ｄ）において提供することがさらに好ましい。
【００６６】
この実施形態は、上記の第１の結合分子に相応じて、有するアミノ酸が５個以下のエピトープに特異的な結合分子であって、該アミノ酸の少なくとも１つが、単に群特異的に、すなわち、たとえば、該アミノ酸の疎水性脂肪族特性などによる該アミノ酸の正または負の電荷に基づいて認識される結合分子が提供されるという利点を有する。
【００６７】
これに関して、工程ｄ）の検出および／または増幅は、第１および第２の結合分子が、被分析タンパク質および／または被分析ペプチドの異なるエピトープに、たとえば、ＦＲＥＴ、近接ライゲーションアッセイなどの方法によって同時に結合することによって行われることが好ましく、第１および第２の結合分子が、溶液状態で試料とともにインキュベートされることがさらに好ましい。
【００６８】
本発明による方法のこの実施形態において、両方の結合分子が液相で被分析タンパク質／ペプチドと結合することは有利である。これに関して、該２つの結合分子は、たとえば、色素対（フルオロフォア／クエンチャーもしくはフルオロフォア１／フルオロフォア２）、または当該技術分野の技術水準における種々のアッセイ（蛍光転移（ＦＲＥＴ）アッセイもしくは近接ライゲーションアッセイなど）による被分析分子に対して対をなす結合の検出に適したオリゴヌクレオチドなどの標識によって修飾されることが特に好ましい。これに関しては、Ｇｕｓｔａｆｓｄｏｔｔｉｒら、Ｐｒｏｘｉｍｉｔｙ  ｌｉｇａｔｉｏｎ  ａｓｓａｙｓ  ｆｏｒ  ｓｅｎｓｉｔｉｖｅ  ａｎｄ  ｓｐｅｃｉｆｉｃ  ｐｒｏｔｅｉｎ  ａｎａｌｙｓｅｓ，ｉｎ  Ａｎａｌ  Ｂｉｏｃｈｅｍ．２００５  Ｏｃｔ  １；３４５（１）：２−９．Ｅｐｕｂ  ２００５  Ｆｅｂ  ７、およびＡｒａｉら、Ｆｌｕｏｒｏｌａｂｅｌｉｎｇ  ｏｆ  ａｎｔｉｂｏｄｙ  ｖａｒｉａｂｌｅ  ｄｏｍａｉｎｓ  ｗｉｔｈ  ｇｒｅｅｎ  ｆｌｕｏｒｅｓｃｅｎｔ  ｐｒｏｔｅｉｎ  ｖａｒｉａｎｔｓ：ａｐｐｌｉｃａｔｉｏｎ  ｔｏ  ａｎ  ｅｎｅｒｇｙ  ｔｒａｎｓｆｅｒ−ｂａｓｅｄ  ｈｏｍｏｇｅｎｅｏｕｓ  ｉｍｍｕｎｏａｓｓａｙ，ｉｎ  Ｐｒｏｔｅｉｎ  Ｅｎｇ．２０００  Ｍａｙ；１３（５）：３６９−７６を参照のこと。
【００６９】
本発明の方法の開発において、第２の結合分子は、それぞれの他方の末端ペプチドエピトープに特異的であることが好ましく、それぞれの他のペプチドエピトープは、遊離ＮＨ２基またはＣＯＯＨ基および各場合において５個以下のアミノ酸を含むことが特に好ましい。
【００７０】
この実施形態は、第１の結合分子に結合した多数の異なる被分析ペプチドのうち、特定の被分析ペプチドのみが、特に、正確には、他の末端ペプチドエピトープが第２の結合分子によって特異的に認識されるものだけが第２の結合分子によって結合されるという利点を有する。したがって、被分析タンパク質／ペプチドを、標的化様式によってさらに分類または選択することが可能である。対応する第２の結合分子の特異性は、第１の結合分子に結合される被分析タンパク質／被分析ペプチドの量を標的化してさらに制限するのに使用できる。すなわち、第２の結合分子が特異的であるほど、結合するペプチドの量は減少し、逆もまた同様である。
【００７１】
工程ｂ）で使用される第１の結合分子は、被分析ペプチドの２つの末端ペプチドエピトープの一方に特異的であり、この末端ペプチドエピトープが遊離ＮＨ２基または遊離ＣＯＯＨ基および３〜５個のアミノ酸を含むこと、ならびに第２の結合分子は、該被分析ペプチドの他方の末端ペプチドエピトープに特異的であり、該他方の末端ペプチドエピトープが遊離ＮＨ２基または遊離ＣＯＯＨ基および３〜５個のアミノ酸を含むことが特に好ましい。
【００７２】
これは、本願の発明者らが、たとえば、各場合において３個のアミノ酸に特異的な２つの結合分子を使用することによって、少なくとも、６個のアミノ酸に特異的な結合分子の特異性を得ることが可能であることを発見したことに基づいている。３個のアミノ酸以外のパラメータが特異性に影響するためである。この場合、各ペプチド断片のＣ末端およびＮ末端が認識される事実と合わせると、被分析ペプチド／タンパク質の特異的検出は、２つの短いエピトープの組み合わせによって可能となる。したがって、被分析ペプチド／タンパク質に対する特異性／選択性は、この２つの結合分子の併用によってもたらされるのであり、その理由は、多くの被分析ペプチド／タンパク質は第１の結合分子によって意図的に結合され、第２の結合分子の使用によってのみ、「全体的特異性」が有意に増大し、６アミノ酸に特異的な結合分子の特異性と少なくとも同等レベルに達するからである。
【００７３】
この場合、６連子エピトープを２つの３連子エピトープ（好ましくは、一方をＣ末端用、他方をＮ末端用）に「分割」することで、可能性のあるすべてのペプチドを解析するために必要な結合分子を劇的に減少させることができる。本発明の場合、可能性のあるすべてのペプチドを検出するために必要な異なる結合分子は、６連子エピトープの場合の２０６種類ではなく、２×２０３種類にすぎない。したがって、特許請求の範囲に記載のアプローチでは、必要な抗体は２×８０００種類のみであり、すなわち、各場合において、ペプチドのＮ末端に対して８０００種類、Ｃ末端に対して８０００種類である。したがって、２×８０００種類の結合分子ライブラリを提供することにより、ペプチド混合物から任意の所望の被分析ペプチドを検出することが可能となる。これと比較すると、６連子エピトープでは、同一の解析に対して１０７種類を超える結合分子が必要となる。
【００７４】
したがって、冒頭で触れたＷＯ２００４／０３１７３０に記載の方法とは異なり、本発明の概念は、被分析タンパク質または被分析ペプチドに対して同時に結合し、それにより被分析タンパク質／ペプチドの特異的増幅および／または分析を可能にする、自体は非特異的な２つの結合分子を使用することにある。
【００７５】
本発明の方法のさらなる利点は、２×２０３種類の結合分子で、生物種と無関係に、任意のプロテオームのすべてのペプチドタンパク質形成アミノ酸に対して理論上考え得るすべてのＮ／Ｃ末端を検出できることである。
【００７６】
３連子アミノ酸の選択、つまりアミノ酸の選択が、実質的に調査対象の試料に依存することは理解されよう。このように、調査対象の試料にもよるが、修飾アミノ酸、あるいはヒト以外の試料、すなわち動物、植物または微生物試料にのみ見られるアミノ酸についても考慮すべきである。この点において、どの試料の解析にどのアミノ酸を考慮すべきかは、利用可能な先行技術から当業者には明らかであろう。
【００７７】
したがって、本発明のアプローチにより、アレイによるプロテオーム解析が初めて可能となる。
【００７８】
本発明の方法の別の実施形態において、検出および／または増幅のために、第１の結合分子に結合した被分析タンパク質／被分析ペプチドを特異的に認識する第２の結合分子が使用され、該第２の結合分子はペプチドの内部エピトープに特異的であることが好ましい。
【００７９】
この実施形態は、第１の結合分子を使用して多様性の限定された被分析ペプチド／タンパク質を「予備選択」することにより試料の複雑度を低下させることが可能であり、その後、タンパク質／ペプチド特異的内部エピトープを介した第２の結合分子を使用した明瞭な検出によって、試料バックグラウンドの低下した複合混合物からただ１つの標的タンパク質またはペプチドを検出することが可能であるという利点を有する。
【００８０】
これに関して、別の実施形態では、第２の結合分子が少なくとも６個のアミノ酸を有するエピトープであるペプチド内部エピトープまたは末端エピトープに特異的であることが好ましい。
【００８１】
この実施形態は、高い特異性を有する第２の結合分子の使用により、高度に標的化された様式で個々のペプチドを同定できる点で有利である。
【００８２】
一般的に、本発明による方法では、第１および第２の結合分子は、抗体、抗体断片、アプタマー、組換え結合分子を含む群から選択されることが好ましい。
【００８３】
本発明はさらに、種々の被分析ペプチドの末端ペプチドエピトープに特異的な結合分子であって、該末端結合分子が遊離ＮＨ２基または遊離ＣＯＯＨ基、プロテアーゼ特異性によって規定される１個以上のアミノ酸、および３個以下のさらなる末端アミノ酸、ならびに必要に応じてさらに群特異的認識部位を含む、結合分子に関する。
【００８４】
これに関して、結合分子は、抗体、抗体断片、アプタマー、組換え結合分子を含む群から選択されることが好ましい。
【００８５】
本発明はさらに、本発明の方法における本発明の結合分子の使用に関する。
【００８６】
本発明はさらに、支持体に結合され、５個以下のアミノ酸を有するペプチドエピトープが免疫付与法、選択法および親和性成熟法に使用される、本発明の方法で使用される結合分子の調製方法に関する。
【００８７】
これに関して好ましくは、結合分子の調製において、第１の工程でＣ末端またはＮ末端に３連子を有するペプチドが提供され、この３連子は、２０種のタンパク質形成アミノ酸から構成されるあらゆる可能なアミノ酸の組み合わせを示すものであって、その後の工程においてこれらのペプチドが免疫付与法、選択法および親和性成熟法に使用される。
【００８８】
これに関して、たとえば、当該技術分野の技術水準においても十分満足に記述されている古典的免疫付与法を使用することが可能である（たとえば、Ａｎｔｉｂｏｄｉｅｓ：Ａ  Ｌａｂｏｒａｔｏｒｙ  Ｍａｎｕａｌ，Ｅｄ  Ｈａｒｌｏｗ，Ｄａｖｉｄ  Ｌａｎｅ編を参照のこと）。その一方で、結合分子をインビトロで作製することもまた可能であり、この場合、結合ポケットは、末端ＮＨ３＋／ＣＯＯ−官能基が、たとえば適合する逆電荷と凹部の形態で最適に結合し得るように構築される。
【００８９】
免疫付与に使用されるペプチドの合成に使用される方法もまた、同様に当該技術分野の技術水準において十分によく知られている（たとえば、Ｆｍｏｃ  Ｓｏｌｉｄ  Ｐｈａｓｅ  Ｐｅｐｔｉｄｅ  Ｓｙｎｔｈｅｓｉｓ，Ａ  Ｐｒａｃｔｉｃａｌ  Ａｐｐｒｏａｃｈ  ｂｙ  Ｗ．Ｃ．ＣｈａｎおよびＰ．Ｄ．Ｗｈｉｔｅ（編），Ｏｘｆｏｒｄ  Ｕｎｉｖｅｒｓｉｔｙ  Ｐｒｅｓｓを参照のこと）。
【００９０】
本発明のさらにまた別の実施形態においては、工程ａ）の試料混合物を第１の結合分子とともにインキュベートする前に、ペプチド内部エピトープに特異的な第３の結合分子が該試料混合物とともにインキュベートされる。
【００９１】
これに関連して、ペプチド内部エピトープは少なくとも６個のアミノ酸を有することが好ましい。
【００９２】
したがって、第３の結合分子は、いくつかの実施形態においては第２の結合分子と同様に捕捉分子としての役割を果たし、これに対して、第１の結合分子はこのとき、好ましくは標識されている一種の普遍的検出分子として使用される。
【００９３】
上述し、また以下で説明する特徴および利点は、記載の組み合わせだけでなく、本発明の範囲を逸脱することなく、単独または他の組み合わせでも使用可能であることは理解されよう。
【００９４】
本発明を、以下の図面および実施例によってさらに説明する。
【００９５】
図１は、試料混合物中に存在する被分析ペプチドの結合を示す図である。図１の左側に、（オリゴ）ペプチドが混合物中に存在するように、事前に特異的プロテアーゼで処理した試料混合物を示す。ここでは、ペプチドのＮ末端をＨ３Ｎ＋、Ｃ末端をＣＯＯ−で示している。
【００９６】
この図の右側に、支持体上に固定化された第１の結合分子に種々のペプチドが結合する様子を示す。ここでは、結合分子を参照番号１０および１２で、支持体を１４で示している。
【００９７】
したがって、本発明の方法および図１に関して、試料混合物と第１の結合分子とを提供した後、これら２種を合わせてインキュベートする。このとき、試料混合物中に存在するペプチドの一部が結合分子に結合する。結合していない試料物質は洗い流す。
【００９８】
図１および図２ａ〜２ｃはそれぞれ、使用される第１の結合分子が、遊離ＮＨ２基または遊離ＣＯＯＨ基と各場合において３個のアミノ酸とを含むエピトープに特異的であるということを、単なる一例として示す図である。本発明の方法の図１および図２ａ〜２ｄに示す代表的な実施形態は例として示したものにすぎず、本発明の範囲において他にも多くの具体的な実施形態が考えられる。特に、結合分子および該結合分子によって認識されるエピトープは、別の構成であってもよい。
【００９９】
図２ａは、工程ｄ）における結合した被分析ペプチドの検出に関する、本発明の方法の一実施形態を示す図である。ここでは、結合分子に結合した被分析ペプチドが溶出され、次いで質量分析に供される。ペプチド亜集団は、ここではＨＰＬＣ−ＭＳ／ＭＳによって解析され、配列タグ＋ペプチド質量＋部分エピトープ親和性分別＋プロテアーゼ特異性による組み合わせ評価によって、配列データベースにおいて明瞭な同定が行われる。
【０１００】
本発明の方法の別の実施形態において、結合分子は、親和性マトリックスアレイ上、たとえば親和性チップ上に固定化される。試料混合物とのインキュベートによって、種々の親和性マトリックスアレイに被分析ペプチドまたはペプチド亜集団が結合する。その後の検出工程において、親和性アレイの各点を、直接ＭＡＬＤＩ質量分析（ＳＥＬＤＩ）によって分析する。
【０１０１】
図２ｂは、工程ｄ）に関する、本発明の方法のさらなる実施形態を示す図である。ここでは、結合分子は支持体に結合されている。試料混合物とのインキュベートの後、被分析ペプチドは、自体の両末端のいずれかで結合分子と結合する。次いで、ペプチド亜集団を第２の結合分子とともにインキュベートし、その結果、第２の結合分子が被分析ペプチドと結合する（図２ｂの右側ＡおよびＢを参照のこと）。第２の結合分子の特異性に応じて、たとえば、ペプチド内部エピトープ（６〜７個のアミノ酸）に特異的な特異的結合分子によって明瞭な同定を行うことが可能である（図２ｂの右側「Ａ」を参照のこと）。また、被分析ペプチドの他方の末端エピトープを特異的に指向する結合分子によって不明瞭な同定もまた行われ得る。これを図２ｂ、右側「Ｂ」に示す。この場合、図２ｂに示すように、結合分子は、他方の遊離ＮＨ２基または遊離ＣＯＯＨ基と各場合において３個のアミノ酸とを含むエピトープに対して同様に特異的であり得る。結果として、あたかも計６個のアミノ酸（第１の結合分子に関する３個のアミノ酸＋第２の結合分子に関する３個のアミノ酸）の「切断特異的エピトープ」のようになる。この場合の特異性は、２種の結合分子の結合特異性の組み合わせに由来する。
【０１０２】
最後に、図２ｃは、工程ｄ）に関する、本発明の方法のさらなる実施形態を示す図である。図２ｃの左側では、ペプチド亜集団が第１の結合分子を介してビーズに結合されている。次いで、これを、種々の空洞上に分散させ、種々の第２の結合分子とともにインキュベートする。ここで、第２の結合分子は、図２ｂと同様、ペプチド内部エピトープまたは遊離ＮＨ２基もしくは遊離ＣＯＯＨ基と各場合において３個のアミノ酸とを含む他方の末端エピトープに対して特異的であり得る。ここでもまた、被分析ペプチドは、２つの非特異的結合分子を組み合わせて使用することによって特異的に同定され得る。
【実施例１】
【０１０３】
カルボキシル末端の３個のアミノ酸に選択的なモノクローナル抗体３Ｄ５の特性決定
市販の抗体である抗Ｃ末端Ｈｉｓタグ抗体３Ｄ５（Ｉｎｖｉｔｒｏｇｅｎ、Ｃａｒｌｓｂａｄ、ＣＡ）の結合選択性について調査した。この抗体は、６個のヒスチジンをＣ末端に有する融合タンパク質でマウスに免疫付与することによって作製したものである（Ｌｉｎｄｎｅｒら、“Ｓｐｅｃｉｆｉｃ  ｄｅｔｅｃｔｉｏｎ  ｏｆ  ｈｉｓ−ｔａｇｇｅｄ  ｐｒｏｔｅｉｎｓ  ｗｉｔｈ  ｒｅｃｏｍｂｉｎａｎｔ  ａｎｔｉ−Ｈｉｓ  ｔａｇ  ｓｃＦｖ−ｐｈｏｓｐｈａｔａｓｅ  ｏｒ  ｓｃＦｖ−ｐｈａｇｅ  ｆｕｓｉｏｎｓ”，Ｂｉｏｔｅｃｈｎｉｑｕｅｓ  ２２，１４０−１４９（１９９７）参照）。該抗体が認識するエピトープ、および個々のアミノ酸残基に対する結合の選択性を、ペプチドアレイを用いて調べた。末端６ヒスチジンペプチドのバリアントを提示するペプチドライブラリを、ミクロスフェア上に指向性を有するよう固定化した（Ｐｏｅｔｚら、“Ｐｒｏｔｅｉｎ  ｍｉｃｒｏａｒｒａｙｓ  ｆｏｒ  ａｎｔｉｂｏｄｙ  ｐｒｏｆｉｌｉｎｇ：Ｓｐｅｃｉｆｉｃｉｔｙ  ａｎｄ  ａｆｆｉｎｉｔｙ  ｄｅｔｅｒｍｉｎａｔｉｏｎ  ｏｎ  ａ  ｃｈｉｐ”，Ｐｒｏｔｅｏｍｉｃｓ  ５，２４０２−２４１１（２００５）参照）。これには、６個の末端ヒスチジンの各々に対して規定のアミノ酸ではなく、可能な２０種のあらゆる組み合わせを有するペプチド位置ライブラリの使用が必要となる。完全な６ヒスチジン配列を有するがその末端に遊離ＣＯＯＨ基ではなくアミド化Ｃ末端を有するペプチドを使用することにより、結合に対するカルボキシル末端の影響を調べることができた（表１参照）。
【０１０４】
【表１】
2009531679.tif 000002
【０１０５】
表１のペプチドを、ビオチン化ペプチドとして合成し、Ｎ−アビジンでコートされたミクロスフェア上に固定化した。結合試験では、ミクロスフェアを抗体と混合し、ペプチドに対する抗体の結合を、フィコエリトリンコンジュゲート抗マウスＩｇＧを用いて検出し、Ｌｕｍｉｎｅｘ  Ｌ１００（Ａｕｓｔｉｎ、ＴＸ、ＵＳＡ）を用いて選択した。（Ｃ末端から）１、２および３位（すなわち、それぞれ、配列番号１６、１５、１４を有するペプチド）のヒスチジンを無作為化すると、測定されるシグナルが減少し、これらのアミノ酸が結合に必要であることが示された。アミド化による遊離カルボキシル基のブロック（配列番号１０を有するペプチド）についても、同様である。この修飾により、抗体の結合が１５％未満まで低減された。すなわち、遊離カルボキシル基の負の電荷は、抗体とその抗原との反応に必須である。２０種すべてのアミノ酸の混合物による４、５および６位のヒスチジンの置換（それぞれ、配列番号１３、１２、１１を有するペプチド）においては、結合の変化は見られなかった。したがって、記載の抗体の認識エピトープは、３個の末端アミノ酸および遊離末端からなる。
【０１０６】
選択性評価の結果を、以下の図表１に示す。
【図表１】
【０１０７】
2009531679.tif 000003
【０１０８】
このように、驚くべきことに、該抗体は、Ｃ末端の３個のヒスチジンに対してのみ選択性を示した。Ｘ位におけるそれ以降のヒスチジンの置換は、抗体の結合に対して、ほとんどまたは全く効果を示さなかった。さらに、アミド化によってＣ末端の負の電荷をブロックした場合も、同様に抗体の結合が妨げられる。この抗体から得られた、６ヒスチジンペプチドを有するｓｃＦｖの結晶構造によってこの結果が裏付けられる（Ｋａｕｆｍａｎｎら、“Ｃｒｙｓｔａｌ  ｓｔｒｕｃｔｕｒｅ  ｏｆ  ｔｈｅ  ａｎｔｉ−Ｈｉｓ  ｔａｇ  ａｎｔｉｂｏｄｙ  ３Ｄ５  ｓｉｎｇｌｅ−ｃｈａｉｎ  ｆｒａｇｍｅｎｔ  ｃｏｍｐｌｅｘｅｄ  ｔｏ  ｉｔｓ  ａｎｔｉｇｅｎ”，Ｊ  Ｍｏｌ  Ｂｉｏｌ  ３１８、１３５−１４７（２００２）参照）。該抗体は、Ｃ末端の４個のヒスチジンの主鎖、Ｃ末端の３個のヒスチジンの側鎖、および末端ヒスチジンのカルボキシル基に結合する。これらのペプチド解析とその結晶構造とに基づき、この市販の抗体は、Ｃ末端トリペプチド特異的抗体であるといえる。
【実施例２】
【０１０９】
抗体３Ｄ５の特性決定の結果に基づき、Ｃ末端またはＮ末端の３つのヒスチジンとともにペプチドエピトープを有する種々のペプチドを合成した。また、対応するペプチドが質量分析によって互いに識別され得るように、Ｃ末端ヒスチジン標識を有するペプチドのＮ末端をグリシンで標識し、Ｎ末端ヒスチジン標識を有するペプチドのＣ末端をセリンで標識した（表２参照）。
【０１１０】
【表２】
2009531679.tif 000004
【０１１１】
イムノアッセイによる検出
ペプチドエピトープ（表２参照）に特異的な抗体（１種類または複数種）を、標準的な手順によってミクロスフェア上に固定化した。上記のペプチドを個々に、種々の濃度で血清に添加した。該ペプチドは、最初にペプチドエピトープ特異的抗体によって、次いでＨｉｓタグ抗体によって検出した。
【０１１２】
質量分析による検出
Ｈｉｓタグ抗体３Ｄ５をカルボキシメチルセルロース上に化学的に固定化した。この物質は、上記のペプチドを複合混合物から精製するための親和性マトリックスとしての機能を果たした。Ｃ末端Ｈｉｓタグおよび遊離カルボキシル基を有するペプチドのみが、その後、質量分析計において検出された。
【実施例３】
【０１１３】
β−カテニンを用いたインシリコ（ｉｎ  ｓｉｌｉｃｏ）消化実験
Ｗｎｔシグナル伝達経路は、どの動物種の胚発生過程においても、非常に重要である。このシグナル伝達経路が異常に活性化されると、腫瘍の形成に至る。大腸腺腫性ポリポーシス（ＡＰＣ）またはβ−カテニンタンパク質における変異により、β−カテニンタンパク質の核蓄積が生じる。Ｔ細胞因子／リンパ系増強因子（ＴＣＦ／ＬＥＦ）との複合体において、β−カテニンは、細胞増殖に正の影響を及ぼす転写因子の遺伝子を活性化し、無制御な細胞増殖を促進する。
【０１１４】
このように、β−カテニンは、古典的なプロトオンコジーンを提示する。このタンパク質のモデルタンパク質としての利点は、腫瘍学との関連性および異種間でも配列が高度に保存されることである。ヒトと古典的なモデル生物体（マウス、ラット）では、１つのアミノ酸を除いて配列は同一である。
【０１１５】
インシリコ消化
β−カテニンタンパク質をトリプシンにより、ＥＤＰプログラム（ｈｔｔｐ：／／ｗｗｗ．ｅｘｐａｓｙ．ｏｒｇ／ｔｏｏｌｓ／ｐｅｐｔｉｄｅｃｕｔｔｅｒ／）を用いてインシリコで消化した。断片を長さの順に並べた（表３参照）。
【０１１６】
【表３】
2009531679.tif 000005
【０１１７】
末端の選択とその後のデータベース検索
断片および末端を種々の観点から調査した。第一に、サンドイッチ型イムノアッセイの構築を可能にするため、断片が２０以上のアミノ酸長を有することが意図された。断片がこれより短いと、立体構造上の理由により検出できないようであるが、これは、ペプチド抗原の２つのエピトープが、アッセイにおける必要時に、第１および第２の結合分子（捕捉および検出抗体）による結合に対して、同時には利用可能でないからである。
【０１１８】
該タンパク質の構造上の特性により、Ｎ末端またはＣ末端付近の断片を選択することは、さらに好都合であった。Ｎ末端とＣ末端はいずれも、結晶構造の調査および他の方法（Ｈｕｂｅｒら、Ｃｅｌｌ  １９９７，９０，８７１−８８２参照）に基づくと、タンパク質分解に容易に利用される。このため、変性条件なしのタンパク質分解によって標的ペプチドを作製することが可能となる。
【０１１９】
断片ｂｃａｔ＿ＴＴＦ１（配列番号７０）を、腫瘍発生の原因となる変異がこの領域内で起こるという理由で選択した。
【０１２０】
断片ｂｃａｔ＿ＴＴＦ１（配列番号７０）は、トリプシン消化断片ではなく、エンドプロテイナーゼＬｙｓＣ消化によって生成される断片である。該消化のために別の酵素もまた択一的に使用できるように、この断片の末端を選択した。
【０１２１】
【表４】
2009531679.tif 000006
【０１２２】
断片のデータベース検索
ヒトの非重複タンパク質データベースを、選択したペプチド断片の末端特異的配列（Ｎ末端の３個のアミノ酸およびＣ末端の４個のアミノ酸）について検索した。その結果、ヒトプロテオームのトリプシン消化によって生成され得る可能なあらゆるＮ末端およびＣ末端が示された。このようなサブプロテオームは、親和性精製の後、作製した末端特異的抗体によって、たとえば質量分析を用いて解析できる。
【０１２３】
両末端を同時検索することによって、データベース検索をさらに絞り込んだ。該検索で、両末端間を限定しない場合、許容されるアミノ酸は１００種であった。アミノ酸長が１０７までのトリプシン断片およびそのそれぞれの特異的末端を、データベースから検索した。しかしながら、組み合わせ検索では、ソフトウェア上の理由で、出力される断片から内部トリプシン切断部位を除外することはできなかった。組み合わせ検索によるヒットから内部トリプシン切断部位を除外することにより、１回にヒットするタンパク質、すなわち標的タンパク質であるβ−カテニン、の数を減少させることができた。すなわち、それぞれ該３つおよび４つのアミノ酸に対して末端特異的である２つの抗体は、考え得るあらゆる場合に標的タンパク質のヒット率１００％を達成するのに十分であると言える。
【０１２４】
検索の結果を以下（表５）にまとめる。
【０１２５】
【表５】
2009531679.tif 000007
【実施例４】
【０１２６】
β−カテニンを用いたインビトロ実験
β−カテニンのインシリコ消化により同定された断片末端を、該ペプチドの最後の３個または４個のアミノ酸および末端に結合する末端特異的抗体の作製に使用した。これらの抗体は、ペプチドアレイとインキュベートすることによって特性決定した。
【０１２７】
表６に、成功した免疫付与を示す。
【０１２８】
【表６】
2009531679.tif 000008
【０１２９】
免疫付与ストラテジー
表５に示す断片末端（トリプシン消化ペプチド断片のＣ末端またはＮ末端における最後の３個または４個のアミノ酸）を、標準的なペプチド化学により合成した。３つのスペーサ（８−アミノ−３，６−ジオキサオクタン酸、ＤＯＡ）を、標的とする３個または４個のアミノ酸の抗原に付加した。該ペプチドの非標的末端には、システイン基を付加した（たとえば、Ｃ−Ｄｏａ−Ｄｏａ−Ｄｏａ−ＡＭＴＲ；配列番号８６）。システインのチオール基により、二官能性リンカー（たとえば、ｍ−マレイミドベンゾイル−Ｎ−ヒドロキシスルホスクシンイミドエステル、スルホ−ＭＢＳ）を介した担体タンパク質（たとえば、キーホールリンペットヘモシアニンまたはオボアルブミン）への指向型コンジュゲートが可能となった。ペプチド担体タンパク質コンジュゲートを用いて標準的な免疫付与手順を実行し、ウサギおよびラットにおいてポリクローナル抗体およびモノクローナル抗体を生成させた。
【０１３０】
末端特異的抗体の特性決定
生成した抗血清またはモノクローナル抗体を、ペプチドアレイを用いて特異性および交差反応性について試験した。各アレイは、ｍｙｃペプチドおよびｈａペプチドに融合させた標的配列である免疫原（遊離末端および３個または４個のアミノ酸およびスペーサ）を含有するペプチドから構成されたものであった。また、他のペプチドに融合させた標的配列のＮ−またはＣ−末端を、それぞれ、アセチル化またはアミド化によりブロックした。
【０１３１】
これらのペプチドにより、適合する抗体の結合に対する遊離末端の影響／寄与を解析することが可能となった。さらに、異なるペプチドライブラリを１組合成した。標的末端の特異的アミノ酸それぞれの位置を、２０種類すべてのアミノ酸のうちの１個が存在するように無作為化した。このようなＸ−位置ライブラリのペプチドにより、抗原−抗体結合に対する個々の位置の影響に関する情報が得られる。結合シグナルの劇的な減少は、その位置が抗原−抗体相互作用に対して強く寄与するか否かを示し、結合シグナルの減少がないことは、この位置が抗原−抗体相互作用に対して有意に寄与しないことを示す。
【０１３２】
【表７】
2009531679.tif 000009
【０１３３】
すべての抗血清および抗体を、記載のペプチドアレイとともにインキュベートした。その結果、免疫付与プロセスの評価、他の末端配列に対する交差反応性の測定、抗体−抗原反応に対するスペーサの影響の測定、遊離末端に特異的な抗体の特異性の測定、および抗原−抗体結合に対する個々のアミノ酸位置の影響が可能となった。
【０１３４】
図３に、交差反応性の測定を示す。標的末端を合成し、ミクロスフェア上に固定化した。標的末端特異的ポリクローナル血清（ここでは、ＡＭＴＲ）を、種々のミクロスフェアとともにインキュベートした。抗体は、その標的末端にのみ結合し、他の標的末端には結合しない。これは、この抗体がその標的末端に特異的であることを示す。
【０１３５】
図４に、末端特異性の測定を示す。免疫原性末端に遊離カルボキシル官能基を有する標的ペプチドおよびアミド官能基として有するものを合成した。ペプチドをミクロスフェア上に固定化し、標的末端特異的ポリクローナル血清とともにインキュベートした。該抗体は、アミド型の標的末端には結合しない。これは、該抗体が末端特異的であり、遊離カルボキシル官能基が抗体結合に必要であることを示す。該抗体は、該配列（ここではＡＭＴＲ）がペプチドまたはタンパク質のＣ末端に存在する場合にのみ結合する。
【０１３６】
図５に、Ｘ−位置ペプチドライブラリスキャンを示す。標的末端ＡＭＴＲのアミノ酸すべてを、２０種のどのアミノ酸も存在可能とすることにより無作為化した、種々のペプチドライブラリを１組合成した。Ｘ−位置ライブラリペプチドを含むアレイにより、抗原−抗体反応に対するその単一アミノ酸残基の影響に関する情報が得られる。元のエピトープと比較して結合シグナルが劇的に減少した場合、この位置が抗原−抗体相互作用に対して強く寄与するか否かが明らかになる。結合シグナルの減少がないことは、この位置が抗原−抗体相互作用に対して有意に寄与しないことを示す。この抗体では、アミノ酸Ａ、ＴおよびＲの側鎖が、結合事象に対して非常に強い影響を示している。
【０１３７】
精製
ポリクローナルウサギ抗体ならびにモノクローナルラット抗体を、ペプチドまたはプロテインＧアフィニティカラムのいずれかを使用し、標準的な手順に従って精製した。
【０１３８】
免疫捕捉アッセイ
該精製抗体の捕捉能を、単純なイムノアッセイ装置において試験した。インシリコ消化により同定された標的化ペプチド断片を、ビオチン化形態で合成した。該ペプチドを、複合ペプチド混合物（６量体ペプチドライブラリ）の存在下、ミクロスフェア上に固定化した抗体とともにインキュベートした。捕捉されたペプチドを、蛍光標識ストレプトアビジンを用いて検出した。
【０１３９】
図６に、免疫捕捉アッセイの結果を示す。Ｃ末端ＡＭＴＲに対して生成させた末端特異的抗体を、ミクロスフェア上に固定化した。ＡＭＴＲをＣ末端に含むビオチン化ペプチドを、種々の濃度で、該固定化抗体とともにインキュベートした。捕捉されたペプチドを、蛍光標識ストレプトアビジンを用いて検出した。特異的被分析ペプチドは、低ナノモル領域で検出できる。
【０１４０】
親和性質量分析によるアプローチ
該抗体を、親和性質量分析実験により試験した。ＡＭＴＲ特異的末端抗体をカラム上に固定化した。ＡＭＴＲをＣ末端に含むペプチドを４種類の異なるペプチドと混合し、アフィニティカラムに負荷した。グリシン緩衝剤（ｐＨ２．５）で溶出後、フロースルー分である溶出画分および出発混合物（注入した試料）を、質量分析計により分析した。ＡＭＴＲ特異的標的ペプチドを混合物から定量的に捕捉し、グリシン緩衝剤を用いて溶出した。その他のペプチドはいずれも、抗ＡＭＴＲ  Ａｂアフィニティカラムからの溶出画分中から検出できなかった。さらに、抗ＡＭＴＲ  ＡｂカラムにおけるＡＭＴＲペプチドの親和性捕捉の結果、ＨＰＬＣ−ＥＳＩ質量分析において５倍を超えるシグナルの増大が見られた。
【０１４１】
【表８】
2009531679.tif 000010
親和性質量分析によるアプローチの概念研究証明に使用したペプチド一覧。ペプチド標識、ペプチド配列およびＥＳＩ質量スペクトルにおける種々の考え得るプロトン化ペプチドシグナルのペプチドのモノアイソトピック質量の計算値を示す。ペプチドは精製せず、粗製ペプチドとして使用した。したがって、ペプチド合成の副反応に由来する非同定夾雑物が混合物に一部存在した。
【図面の簡単な説明】
【０１４２】
【図１】結合分子を試料混合物とともにインキュベートする本発明の方法の工程ｃ）を示す図である。
【図２ａ】本発明の方法の工程ｄ）の一実施形態を示す図である。
【図２ｂ】工程ｄ）のさらなる実施形態を示す図である。
【図２ｃ】工程ｄ）のさらなる実施形態を示す図である。
【図３】他の末端特異的抗体に対する末端特異的抗体（ＡＭＴＲ）の交差反応性測定を示す図である。
【図４】図３の抗体の末端特異性測定を示す図である。
【図５】図３の抗体のＸ−位置ペプチドライブラリスキャンを示す図である。
【図６】図３の抗体の免疫捕捉アッセイの結果を示す図である。
【図１】
2009531679.tif 000011
【図２ａ】
2009531679.tif 000012
【図２ｂ】
2009531679.tif 000013
【図２ｃ】
2009531679.tif 000014
【図３】
2009531679.tif 000015
【図４】
2009531679.tif 000016
【図５】
2009531679.tif 000017
【図６】
2009531679.tif 000018
【配列表】
2009531679000001.app
【国際調査報告】
2009531679.tif 000019
2009531679.tif 000020
2009531679.tif 000021